(57)【特許請求の範囲】
【請求項１】
対向する基板間に液晶材料を封入した液晶パネルと、複数の画素夫々に対応して前記液晶材料に対する電圧印加を制御すべく前記液晶パネルを駆動する駆動部と、前記液晶パネル及び前記駆動部を接続する絶縁膜で覆われた複数の配線とを備える液晶表示装置において、
前記複数の配線それぞれの一部の前記絶縁膜を欠損させた部分を連ねてなる、前記駆動部からの出力電圧以外の電圧を外部より一括して印加するための領域を設けており、
該領域で前記複数の配線を短絡させて前記複数の配線それぞれの電位を同一電位として前記液晶材料の配向処理を行うように構成してあることを特徴とする液晶表示装置。
【請求項２】
前記領域を、前記液晶パネルに設けていることを特徴とする請求項１記載の液晶表示装置。
【請求項３】
矩形状をなす前記液晶パネルの一辺側に前記駆動部が実装されており、前記液晶パネルの前記駆動部が実装される側に前記領域を設けていることを特徴とする請求項２記載の液晶表示装置。
【請求項４】
矩形状をなす前記液晶パネルの一辺側に前記駆動部が実装されており、前記液晶パネルの前記駆動部が実装される側とは反対側に前記領域を設けていることを特徴とする請求項２記載の液晶表示装置。
【請求項５】
前記液晶材料は、自発分極を有する液晶材料であることを特徴とする請求項１乃至４のいずれか一つに記載の液晶表示装置。
【請求項６】
カラーフィールタ方式にてカラー表示を行うことを特徴とする請求項１乃至５のいずれか一つに記載の液晶表示装置。
【請求項７】
フィールド・シーケンシャル方式にてカラー表示を行うことを特徴とする請求項１乃至５のいずれか一つに記載の液晶表示装置。
【請求項８】
対向する基板間に液晶材料を封入した液晶パネルと、複数の画素夫々に対応して前記液晶材料に対する電圧印加を制御すべく前記液晶パネルを駆動する駆動部と、前記液晶パネル及び前記駆動部を接続する絶縁膜で覆われた複数の配線とを備えた液晶表示装置に対して、前記液晶パネルへの電圧印加によって前記液晶材料の配向処理を行う配向処理方法において、
前記複数の配線それぞれの一部の前記絶縁膜を欠損させた部分を連ねて設けられている、前記駆動部からの出力電圧以外の電圧が外部より一括して印加される領域に、電圧を印加して前記複数の配線を短絡させて前記複数の配線それぞれの電位を同一電位として配向処理を行うことを特徴とする配向処理方法。
【発明の詳細な説明】
【技術分野】
【０００１】  本発明は、液晶表示装置及び配向処理方法に関し、特に、外部からの電圧印加を受ける領域を設けた液晶表示装置、及び、この領域を用いた電圧印加によって液晶材料の配向処理を実施する配向処理方法に関する。
【背景技術】
【０００２】  一般的に普及しているＴＮ（Ｔｗｉｓｔｅｄ  Ｎｅｍａｔｉｃ）液晶は、印加電圧に対する応答速度が十〜数十ｍｓであり、階調数が異なる中間調表示間での応答速度が急激に遅くなって百ｍｓに近い値になることもある。従って、ＴＮ液晶を用いた液晶表示装置にて動画表示（６０画像／秒）を行う場合には、液晶分子が動作しきれずに画像がぼやけてしまうため、ＴＮ液晶はマルチメディアの動画表示の用途には不適である。【０００３】  そこで、自発分極を有し、印加電圧に対する応答速度が数十〜数百μｓと高速である強誘電性液晶または反強誘電性液晶を用いた液晶表示装置が実用化されている。高速応答が可能なこのような液晶を用いた場合には、ＴＦＴ（Ｔｈｉｎ  Ｆｉｌｍ  Ｔｒａｎｓｉｓｔｏｒ）、ＭＩＭ（Ｍｅｔａｌ  Ｉｎｓｕｌａｔｏｒ  Ｍｅｔａｌ）などのスイッチング素子により各画素に印加する電圧を制御して、液晶分子の分極を短時間で完了させることにより、優れた動画表示が可能となる。ＴＦＴ、ＭＩＭなどのスイッチング素子が設けられて、強誘電性液晶または反強誘電性液晶が封入されたアクティブ駆動型の液晶パネルを駆動する液晶表示装置が提案されている（例えば、特許文献１，２参照）。
【特許文献１】特許第２６８１５２８号公報
【特許文献２】特許第３４０３１１４号公報
【発明の開示】
【発明が解決しようとする課題】
【０００４】  このような液晶表示装置にあっては、スイッチング素子及び画素電極を各画素毎に形成したガラス基板と、平板状の対向電極を形成したガラス基板とを対向させ、両基板間の空隙に液晶材料を封入し、液晶材料に配向処理を施して液晶パネルを作製し、作製した液晶パネルに熱圧着によって駆動部を実装する。液晶パネルに駆動部を実装する際、または、液晶表示モジュールに組み立てる際などに、熱圧着時の熱が液晶パネルに加わったり、有効表示面内へ圧力が加わったりするために、液晶材料の初期状態の配向が乱れてしまうことがある。【０００５】  液晶材料として強誘電性液晶または反強誘電性液晶を使用した場合には、初期状態の配向が一旦乱れてしまうと元の配向状態には戻らない。よって、初期状態の配向が得られるような処理を再度行う必要がある。液晶パネル全域を初期状態の配向にするためには、全ソース側取り出し電極を共通に、また、全ゲート側取り出し電極を共通にして電圧を印加することが好ましい。ところが、熱圧着工程以降の液晶パネルにあっては、駆動部が既に実装されているため、その配向処理を行いにくく、行うためには駆動部を取り外さなければならないという問題がある。【０００６】  本発明は斯かる事情に鑑みてなされたものであり、初期状態の配向が乱れてしまった場合に、駆動部を実装したまま配向処理を行える液晶表示装置、及び配向処理方法を提供することを目的とする。
【課題を解決するための手段】
【０００７】
本発明に係る液晶表示装置は、対向する基板間に液晶材料を封入した液晶パネルと、複数の画素夫々に対応して前記液晶材料に対する電圧印加を制御すべく前記液晶パネルを駆動する駆動部と、前記液晶パネル及び前記駆動部を接続する絶縁膜で覆われた複数の配線とを備える液晶表示装置において、前記複数の配線それぞれの一部の前記絶縁膜を欠損させた部分を連ねてなる、前記駆動部からの出力電圧以外の電圧を外部より一括して印加するための領域を設けており、該領域で前記複数の配線を短絡させて前記複数の配線それぞれの電位を同一電位として前記液晶材料の配向処理を行うように構成してあることを特徴とする。
【０００８】
本発明に係る液晶表示装置は、前記領域を、前記液晶パネルに設けていることを特徴とする。
【０００９】  本発明に係る液晶表示装置は、矩形状をなす前記液晶パネルの一辺側に前記駆動部が実装されており、前記液晶パネルの前記駆動部が実装される側に前記領域を設けていることを特徴とする。【００１０】  本発明に係る液晶表示装置は、矩形状をなす前記液晶パネルの一辺側に前記駆動部が実装されており、前記液晶パネルの前記駆動部が実装される側とは反対側に前記領域を設けていることを特徴とする。【００１１】  本発明に係る液晶表示装置は、前記液晶材料が自発分極を有する液晶材料であることを特徴とする。【００１２】  本発明に係る液晶表示装置は、カラーフィールタ方式にてカラー表示を行うことを特徴とする。【００１３】  本発明に係る液晶表示装置は、フィールド・シーケンシャル方式にてカラー表示を行うことを特徴とする。【００１４】
本発明に係る配向処理方法は、対向する基板間に液晶材料を封入した液晶パネルと、複数の画素夫々に対応して前記液晶材料に対する電圧印加を制御すべく前記液晶パネルを駆動する駆動部と、前記液晶パネル及び前記駆動部を接続する絶縁膜で覆われた複数の配線とを備えた液晶表示装置に対して、前記液晶パネルへの電圧印加によって前記液晶材料の配向処理を行う配向処理方法において、前記複数の配線それぞれの一部の前記絶縁膜を欠損させた部分を連ねて設けられている、前記駆動部からの出力電圧以外の電圧が外部より一括して印加される領域に、電圧を印加して前記複数の配線を短絡させて前記複数の配線それぞれの電位を同一電位として配向処理を行うことを特徴とする。
【００１６】  本発明にあっては、液晶パネルと接続される駆動部の配線に、外部からの電圧印加を受ける領域を設けてある。よって、駆動部の出力電圧以外の電圧を外部から液晶パネルに印加することができる。例えば、駆動部が液晶パネルに実装された後に液晶材料の初期状態の配向が乱れた場合、その領域に電圧を印加して配向処理を施せば、駆動部を取り外すことなく、簡単に配向処理を行える。【００１７】  本発明にあっては、液晶パネルの駆動部が実装される側に、外部からの電圧印加を受ける領域を設けてある。よって、駆動部の出力電圧以外の電圧を外部から液晶パネルに印加することができる。例えば、駆動部が液晶パネルに実装された後に液晶材料の初期状態の配向が乱れた場合、その領域に電圧を印加して配向処理を施せば、駆動部を取り外すことなく、簡単に配向処理を行える。【００１８】  本発明にあっては、液晶パネルの駆動部が実装される側とは反対側に、外部からの電圧印加を受ける領域を設けてある。よって、駆動部の出力電圧以外の電圧を外部から液晶パネルに印加することができる。例えば、駆動部が液晶パネルに実装された後に液晶材料の初期状態の配向が乱れた場合、その領域に電圧を印加して配向処理を施せば、駆動部を取り外すことなく、簡単に配向処理を行える。【００１９】  本発明にあっては、液晶材料として自発分極を有する材料を使用する。自発分極を有する液晶材料を用いることにより、高速応答が可能となるため、高い動画表示特性を実現でき、フィールド・シーケンシャル方式の表示も容易に実現可能となる。【００２０】  本発明は、白色光源とカラーフィルタとを用いてカラー表示を行うカラーフィルタ方式の液晶表示装置、及び、カラー光源を用いて高精細、高色純度、高速応答性を有するカラー表示を行えるフィールド・シーケンシャル方式の液晶表示装置の何れにも適用可能である。
【発明の効果】
【００２１】  本発明では、駆動部の出力電圧以外の電圧を外部から液晶パネルに印加できるような領域を設けるようにしたので、例えば、駆動部の実装時、またはモジュール組立て時に、初期状態の配向が乱れた場合でも、この領域に電圧を印加して配向処理を施すことにより、駆動部を実装させたままで、初期状態の配向への修復を簡単に行うことができる。また、液晶パネル自身の特性と駆動部の特性とを区別した評価が可能であり、例えば表示不良が発生した場合に、液晶パネル側に原因があるか、駆動部側に原因があるかを判別することができる。
【図面の簡単な説明】
【００２２】
【図１】液晶パネルの模式的断面図である。
【図２】液晶パネル及びバックライトの模式的斜視図である。
【図３】液晶パネルの模式的平面図である。
【図４】液晶表示装置の全体構成を示すブロック図である。
【図５】第１実施の形態における外部電圧供給領域を示す図である。
【図６】第２実施の形態における外部電圧供給領域を示す図である。
【図７】第３実施の形態における外部電圧供給領域を示す図である。
【図８】液晶パネルの模式的断面図である。
【図９】液晶パネルの模式的平面図である。
【図１０】液晶表示装置の全体構成を示すブロック図である。
【符号の説明】
【００２３】  １  液晶パネル
２  対向電極
３  カラーフィルタ
４  ガラス基板
５  画素電極
６  ガラス基板
９  液晶層
２１  ＴＦＴ
２２  ソースドライバ
２３  データ線
２４  ゲートドライバ
２５  走査線
２６  バックライト
２９  トランスファ電極
３０  電圧線
３１  ＬＣＤ制御回路
４０  駆動部
４６，５１，６１  外部電圧供給領域
４２，４７  電極
【発明を実施するための最良の形態】
【００２４】  本発明をその実施の形態を示す図面を参照して具体的に説明する。なお、本発明は以下の実施の形態に限定されるものではない。【００２５】（第１実施の形態）
図１は、液晶パネルの構成を示す模式的断面図である。図１に示すように、液晶パネル１は、マトリックス状に配置されたＩＴＯ（Ｉｎｄｉｕｍ  Ｔｉｎ  Ｏｘｉｄｅ）製の光透過性に優れた画素電極５（例えば、０．０８×０．２４ｍｍ２，画素数１０２４Ｈ×３ＲＧＢ×７６８Ｖ，対角１２．１インチ）及び画素電極５の夫々に接続されたＴＦＴを有するガラス基板６と、対向電極２及びマトリックス状に配置されたカラーフィルタ３を有するガラス基板４とを備えている。【００２６】  画素電極５及びカラーフィルタ３上には夫々配向膜７及び配向膜８が設けられ、ガラス基板６及びガラス基板４は、これらの配向膜７及び配向膜８を対向させる態様で配置されている。配向膜７及び配向膜８間に面内均一のギャップ（例えば、１．６μｍ）を保持するためのスペーサ１０（形状は球形、直方体、円柱状、ツツミ形状、逆型ツツミ形状など）を散布して形成した空隙内に、強誘電性液晶を充填して液晶層９が形成されている。図２に示すように、この液晶パネル１は、２枚の偏光板１１及び偏光板１２で挟まれ、更にその下方に白色光源を有するバックライト２６が配置されている。【００２７】  図３は液晶パネル１の模式的平面図、図４は液晶表示装置の全体構成を示すブロック図である。図３に示すように、画素電極５及びＴＦＴ２１は、ガラス基板６上にマトリックス配置（例えば、１０２４Ｈ×３ＲＧＢ×７６８Ｖ）されており、各画素電極５はＴＦＴ２１のドレイン端子と接続されている。ＴＦＴ２１のゲート端子は走査線２５（Ｌｉ：ｉ＝１，２，３，・・・，７６８）に接続され、ＴＦＴ２１のソース端子はデータ線２３（Ｄｊ：ｊ＝１，２，３，・・・，３０７２）に接続されている。走査線２５は液晶パネル１を駆動する駆動部としてのゲートドライバ２４の出力段に順次接続され、データ線２３は液晶パネル１を駆動する駆動部としてのソースドライバ２２の出力段に順次接続されている。【００２８】  ＴＦＴ２１は、ゲートドライバ２４からライン順次に供給される走査信号を配線としての走査線２５に入力することによってオン／オフ制御され、オン期間にはソースドライバ２２から配線としての各データ線２３に入力するデータ電圧を画素電極５に印加し、オフ期間にはそれまでのデータ電圧を保持する。そしてＴＦＴ２１を介して印加されたデータ電圧により、液晶の電気光学特性によって決定される液晶の光透過率を制御して画像を表示する。【００２９】  また、ガラス基板６の隅部には、電圧線３０の一端に接続されるトランスファ電極２９が設けられている。電圧線３０は、ソースドライバ２２またはゲートドライバ２４を通って延在し、その他端がソースドライバ２２外のＣＯＭ端子またはゲートドライバ２４外のＣＯＭ端子に接続されている。このトランスファ電極２９は、対向電極２に設けられたトランスファ電極と導電性の樹脂を介して接続されており、外部のＣＯＭ端子から電圧線３０を介して、対向電極２用の電圧Ｖｃｏｍが対向電極２に印加されるようになっている。【００３０】  液晶表示装置は、このような駆動部としてのソースドライバ２２及びゲートドライバ２４に加えて、図４に示すように、ＬＣＤ制御回路３１、ＬＣＤ電源回路３３、及びバックライト電源回路���４などの周辺回路を備えている。【００３１】  ＬＣＤ制御回路３１は、入力される同期信号ＳＹＮＣから、ソースドライバ２２の動作を制御するために必要な制御信号ＳＤ−ＣＳと、ゲートドライバ２４の動作を制御するために必要な制御信号ＧＤ−ＣＳと、ＬＣＤ電源回路３３を制御するために必要な制御信号ＬＰ−ＣＳと、バックライト電源回路３４を制御するために必要な制御信号ＢＰ−ＣＳとを生成し、生成した各種の制御信号を、ソースドライバ２２、ゲートドライバ２４、ＬＣＤ電源回路３３及びバックライト電源回路３４へ夫々出力する。【００３２】  また同時に、ＬＣＤ制御回路３１は、入力される同期信号ＳＹＮＣに同期して、入力される表示データＤＡＴＡを取り込み、液晶パネル１に表示すべき画像データＰＤをソースドライバ２２へ出力する。なお、入力される表示データＤＡＴＡは、ＰＣのＣＲＴ出力信号のＡ／Ｄ変換後の信号、ＤＶＩレシーバＩＣにて復元された信号またはＤＶＩ信号、ＬＶＤＳレシーバＩＣにて復元された信号またはＬＶＤＳ信号、専用ＰＣＩカードにて作成された信号、ＰＡＤ若しくは携帯電話等に搭載されたＣＰＵまたはＬＣＤコントローラＩＣから出力されるＬＣＤ信号、ＰＡＤ若しくはＰＣ等の装置上のビデオＲＡＭをＬＣＤ制御回路３１が直接制御して入手した信号などである。【００３３】  ＬＣＤ電源回路３３は、ＬＣＤ制御回路３１により生成された制御信号ＬＰ−ＣＳに同期して、ソースドライバ２２用の駆動電圧、ゲートドライバ２４用の駆動電圧、液晶パネル１の対向電極２用の電圧Ｖｃｏｍを生成して、夫々を出力する。バックライト電源回路３４は、ＬＣＤ制御回路３１により生成された制御信号ＢＰ−ＣＳに同期してバックライト２６を点灯するための電圧を生成するとともに、バックライト２６のオン／オフ制御を実施する。【００３４】  ソースドライバ２２は、ＬＣＤ制御回路３１により生成された制御信号ＳＤ−ＣＳに同期して、ＬＣＤ制御回路３１から出力された画像データＰＤを取り込み、画像データＰＤに応じた電圧をデータ線２３に印加する。ゲートドライバ２４は、ＬＣＤ制御回路３１により生成された制御信号ＧＤ−ＣＳに同期して、走査線２５をライン順次にオン／オフ制御電圧を印加する。【００３５】  次に、本発明の特徴部分をなす第１実施の形態の配向処理について説明する。図５は、第１実施の形態における外部電圧供給領域を示す図であり、図５（ａ）は、駆動部４０（ソースドライバ２２またはゲートドライバ２４）の下面図、図５（ｂ）は、図５（ａ）のＢ−Ｂ線の断面図である。なお図５（ｂ）には、ガラス基板４及びガラス基板６も図示している。【００３６】  駆動部４０では、ポリイミド製のベースフィルム４１に、データ線２３または走査線２５の一部となる電極４２と、電圧線３０の一部となる電極４３とが、長手方向に延在した態様でパターン形成されている。ベースフィルム４１には、電極４２に接続されたドライバＩＣ４４が設けられている。ドライバＩＣ４４近傍部分の電極４２及び電極４３の表面は絶縁膜４５にて覆われているが、電極４２の一部は絶縁膜４５で覆われていない絶縁膜欠損領域（図５（ａ）の点線で囲んだ領域）となっている。この絶縁膜欠損領域が、駆動部４０（���ースドライバ２２またはゲートドライバ２４）の出力電圧とは異なる電圧の印加を外部から受ける外部電圧供給領域４６として機能する。なお、従来例では、この点線で囲んだ領域も絶縁膜にて覆われている。【００３７】  ガラス基板６上方に位置する部分の電極４２及び電極４３は絶縁膜４５で覆われておらず、これらの電極４２及び電極４３とガラス基板６上の電極４７とが熱圧着されることにより、データ線２３または走査線２５、及び電圧線３０が構成されて、液晶パネル１に駆動部４０（ソースドライバ２２またはゲートドライバ２４）が実装されている。なお、駆動部４０のガラス基板６上の端部には、例えばシリコンゴムからなる防湿材４８が塗布されている。このような防湿材をドライバＩＣ４４に塗布しても良い。【００３８】  このような構成において、駆動部４０（ソースドライバ２２またはゲートドライバ２４）の実装時などに強誘電性液晶の初期状態の配向が乱れた場合に、以下のような配向処理により、駆動部４０を実装させたままで、初期状態の配向への修復を行う。【００３９】  ソースドライバ２２の全データ線２３（全電極４２）を短絡させるとともにゲートドライバ２４の全走査線２５（全電極４２）を短絡させて外部電圧供給領域４６を介して、また、ＣＯＭ端子から電圧線３０（電極４３）を介して、初期状態の配向が得られる電圧を外部からそれぞれ印加する。例えば、全ソース側を０Ｖ（ＧＮＤ）と接続し、全ゲート側を０Ｖ（ＧＮＤ）と接続し、対向電極２用の電圧Ｖｃｏｍを印加する。この電圧Ｖｃｏｍは、封入した強誘電性液晶、形成した配向膜７，８などの液晶パネル１の構成部材の特性によって変化し、電圧印加の環境（温度など）によっても変化する。【００４０】  以上のような配向処理によって、ソースドライバ２２側の全電極４２を短絡させることで全データ線２３の電位が同一電位となり、また、ゲートドライバ２４側の全電極４２を短絡させることで全走査線２５の電位が同一電位となるため、各画素電極５に印加される電圧にばらつきがなくなり、良好な初期状態の配向を容易に得ることが可能である。【００４１】  なお、上述したような配向処理が終了した後は、外部電圧供給領域４６として機能した絶縁膜欠損領域に、絶縁膜を形成または防湿材を塗布しておくことが、電極４２の短絡または酸化の観点から好ましい。【００４２】  また、外部電圧供給領域４６（絶縁膜欠損領域）を取り外し可能な絶縁シールで覆って、配向処理を行う際にはこの絶縁シールを剥がして電圧を印加し、配向処理を行わない際にはこの絶縁シールを被せておくようにしても良い。【００４３】（第２実施の形態）
第２実施の形態における液晶パネル１、バックライト２６、及びそれらの周辺回路の構成は、第１実施の形態と同様であるので、それらの説明は省略する。【００４４】  第２実施の形態の配向処理について説明する。図６は、第２実施の形態における外部電圧供給領域を示す図であり、図６において図１〜図５と同一部分には同一番号を付している。【００４５】  駆動部４０としてのソースドライバ２２またはゲートドライバ２４のドライバＩＣ４４とガラス基板６に設けたＴＦＴとを結ぶデータ線２３または走査線２５の一部をなす、ソースドライバ２２またはゲートドライバ２４が実装される側の全ての電極４７をまとめた領域（図６の点線で囲んだ領域）が、駆動部４０（ソースドライバ２２またはゲートドライバ２４）の出力電圧とは異なる電圧の印加を外部から受ける外部電圧供給領域５１として機能する。【００４６】  このような構成において、駆動部４０（ソースドライバ２２またはゲートドライバ２４）の実装時などに強誘電性液晶の初期状態の配向が乱れた場合に、以下のような配向処理により、駆動部４０を実装させたままで、初期状態の配向への修復を行う。【００４７】  ソースドライバ２２の全データ線２３（全電極４７）を短絡させるとともにゲートドライバ２４の全走査線２５（全電極４７）を短絡させて外部電圧供給領域５１を介して、また、ＣＯＭ端子から電圧線３０を介して、初期状態の配向が得られる電圧を外部からそれぞれ印加する。例えば、全ソース側を０Ｖ（ＧＮＤ）と接続し、全ゲート側を０Ｖ（ＧＮＤ）と接続し、対向電極２用の電圧Ｖｃｏｍを印加する。この電圧Ｖｃｏｍは、封入した強誘電性液晶、形成した配向膜７，８などの液晶パネル１の構成部材の特性によって変化し、電圧印加の環境（温度など）によっても変化する。【００４８】  以上のような配向処理によって、ソースドライバ２２側の全電極４７を短絡させることで全データ線２３の電位が同一電位となり、また、ゲートドライバ２４側の全電極４７を短絡させることで全走査線２５の電位が同一電位となるため、各画素電極５に印加される電圧にばらつきがなくなり、良好な初期状態の配向を容易に得ることが可能である。【００４９】（第３実施の形態）
第３実施の形態における液晶パネル１、バックライト２６、及びそれらの周辺回路の構成は、第１実施の形態と同様であるので、それらの説明は省略する。【００５０】  第３実施の形態の配向処理について説明する。図７は、第３実施の形態における外部電圧供給領域を示す図であり、図７において図１〜図５と同一部分には同一番号を付している。【００５１】  駆動部４０としてのソースドライバ２２またはゲートドライバ２４のドライバＩＣ４４とガラス基板６に設けたＴＦＴとを結ぶデータ線２３または走査線２５の一部をなす、ソースドライバ２２またはゲートドライバ２４が実装される側と反対側の全ての電極４７をまとめた領域（図７の点線で囲んだ領域）が、駆動部４０（ソースドライバ２２またはゲートドライバ２４）の出力電圧とは異なる電圧の印加を外部から受ける外部電圧供給領域６１として機能する。【００５２】  このような構成において、駆動部４０（ソースドライバ２２またはゲートドライバ２４）の実装時などに強誘電性液晶の初期状態の配向が乱れた場合に、以下のような配向処理により、駆動部４０を実装させたままで、初期状態の配向への修復を行う。【００５３】  ソースドライバ２２の全データ線２３（全電極４７）を短絡させるとともにゲートドライバ２４の全走査線２５（全電極４７）を短絡させて外部電圧供給領域６１を介して、また、ＣＯＭ端子から電圧線３０を介して、初期状態の配向が得られる電圧を外部からそれぞれ印加する。例えば、全ソース側を０Ｖ（ＧＮＤ）と接続し、全ゲート側を０Ｖ（ＧＮＤ）と接続し、対向電極２用の電圧Ｖｃｏｍを印加する。この電圧Ｖｃｏｍは、封入した強誘電性液晶、形成した配向膜７，８などの液晶パネル１の構成部材の特性によって変化し、電圧印加の環境（温度など）によっても変化する。【００５４】  以上のような配向処理によって、ソースドライバ２２側の全電極４７を短絡させることで全データ線２３の電位が同一電位となり、また、ゲートドライバ２４側の全電極４７を短絡させることで全走査線２５の電位が同一電位となるため、各画素電極５に印加される電圧にばらつきがなくなり、良好な初期状態の配向を容易に得ることが可能である。【００５５】（第４実施の形態）
図８は液晶パネル１の構成を示す模式的断面図、図９は液晶パネル１の模式的平面図、図１０は液晶表示装置の全体構成を示すブロック図である。図８〜図１０において、図１〜図４と同一または同様な部分には同一番号を付している。第４実施の形態は、ＲＧＢの各色を発光するバックライト２６を備えて、カラーフィルタを使用せずにフィールド・シーケンシャル方式にてカラー表示を行う液晶表示装置である。【００５６】  図８に示すように、液晶パネル１は、マトリックス状に配置された画素電極５（例えば、０．２４×０．２４ｍｍ２，画素数１０２４Ｈ×７６８Ｖ，対角１２．１インチ）を有するガラス基板６と、対向電極２を有するガラス基板４とを備えている。画素電極５及び対向電極２上には夫々配向膜７及び配向膜８が設けられ、ガラス基板６及びガラス基板４は、これらの配向膜７及び配向膜８を対向させる態様で配置されている。配向膜７及び配向膜８間に面内均一のギャップ（例えば、１．６μｍ）を保持するためのスペーサ１０を散布して形成した空隙内に、強誘電性液晶を充填して液晶層９が形成されている。この液晶パネル１は、第１実施の形態と同様に、２枚の偏光板１１及び偏光板１２で挟まれ（図２参照）、更にその下方にＲＧＢ光源を有するバックライト２６が配置されている。【００５７】  図９に示すように、画素電極５及びＴＦＴ２１は、ガラス基板６上にマトリックス配置（例えば、１０２４Ｈ×７６８Ｖ）されており、各画素電極５はＴＦＴ２１のドレイン端子と接続されている。ＴＦＴ２１のゲート端子は、ゲートドライバ２４の出力段に順次接続された走査線２５（Ｌｉ：ｉ＝１，２，３，・・・，７６８）に接続され、ＴＦＴ２１のソース端子は、ソースドライバ２２の出力段に順次接続されたデータ線２３（Ｄｊ：ｊ＝１，２，３，・・・，１０２４）に接続されている。ソースドライバ２２、ゲートドライバ２４及びＴＦＴ２１を用いた液晶の光透過率制御による画像表示の動作は、第１実施の形態と同じである。【００５８】  液晶表示装置は、このようなソースドライバ２２及びゲートドライバ２４に加えて、図１０に示すように、ＬＣＤ制御回路３１、フレームメモリ３２、ＬＣＤ電源回路３３、及びバックライト電源回路３４などの周辺回路を備えている。【００５９】  ＬＣＤ制御回路３１は、入力される同期信号ＳＹＮＣから、フレームメモリ３２における画像データの入力／出力タイミングを制御するために必要な制御信号ＲＡＭ−ＣＳを生成し、生成した制御信号ＲＡＭ−ＣＳをフレームメモリ３２へ出力する。フレームメモリ３２は、ＬＣＤ制御回路３１で生成された制御信号ＲＡＭ−ＣＳに同期して、ＬＣＤ制御回路３１に取り込まれた表示データＤＡＴＡを蓄積したり、蓄積した表示データＤＡＴＡをＬＣＤ制御回路３１へ出力したりする。なお、フレームメモリ３２は、ＬＣＤ制御回路３１内のＩＣに内蔵するようにしても良い。【００６０】  ＬＣＤ制御回路３１は、入力される同期信号ＳＹＮＣに同期して、入力される表示データＤＡＴＡを取り込み、取り込んだ表示データＤＡＴＡをフレームメモリ３２に蓄積し、蓄積されている表示データＤＡＴＡをフレームメモリ３２から読み出し、液晶パネル１に表示すべき画像データＰＤをソースドライバ２２へ出力する。これ以降の動作は、第１実施の形態と同様である。【００６１】  このようなフィールド・シーケンシャル方式の液晶表示装置にあっても、第１〜第３実施の形態で述べたような外部電圧供給領域を形成するようにして、その外部電圧供給領域を介して配向処理用の電圧を印加することにより、駆動部４０（ソースドライバ２２またはゲートドライバ２４）を液晶パネル１に実装した状態で、初期状態の配向に容易に修復することが可能である。【００６２】  上述した実施の形態では、配向処理を施す際に外部電圧供給領域を利用する場合について説明したが、駆動部４０（ソースドライバ２２またはゲートドライバ２４）からの出力電圧とは異なる電圧を外部から印加できるこの外部電圧供給領域は、配向処理以外の用途にも利用できる。駆動部４０を介さない外部電圧の印加が可能となるため、液晶パネル１自身の特性と駆動部４０の特性とを区別して評価することが可能であり、例えば、表示不良が発生した場合に、液晶パネル１側に原因があるか、駆動部４０側に原因があるかを判別することができる。【００６３】  なお、上述した実施の形態では、ソースドライバ２２またはゲートドライバ２４に各１個のドライバＩＣ４４を設ける場合について説明したが、複数個のドライバＩＣを設けて、各ドライバＩＣから引き出される電極を一まとめとして外部電圧供給領域を形成するようにしても良い。【００６４】  また、共通電極２への電圧印加用の電圧線３０は、ソースドライバ２２またはゲートドライバ２４を通らずに、別途設けるようにしても良い。【００６５】  また、上述した例では、液晶材料として、強誘電性液晶を用いる場合について説明したが、自発分極を有する反強誘電性液晶を用いる場合にも本発明が適用可能であることは勿論である。【００６６】  以上述べたような本発明の液晶表示装置は、デスクトップ型の液晶ディスプレイ、ノート型ＰＣに搭載する液晶ディスプレイ、ＰＡＤまたは携帯電話に搭載された液晶ディスプレイ、ゲーム機に搭載された液晶ディスプレイ、家庭用または携帯型テレビ用の液晶ディスプレイとしてだけでなく、ビューファインダ若しくはモニタを直視するビデオカメラまたはデジタルカメラ、カーナビゲーション装置、ＰＯＳ端末などの表示装置への適用が可能である。
【図１】
0004726895.tif 000002
【図２】
0004726895.tif 000003
【図３】
0004726895.tif 000004
【図４】
0004726895.tif 000005
【図５】
0004726895.tif 000006
【図６】
0004726895.tif 000007
【図７】
0004726895.tif 000008
【図８】
0004726895.tif 000009
【図９】
0004726895.tif 000010
【図１０】
0004726895.tif 000011